(57)【要約】 【課題】テレビ放送の受信信号をデコード処理して出力するテレビ放送視聴装置であって、特別な操作を行うことなく、映像、音声の一方に出力を限定することなく、当該デコード処理時の電力消費を抑制できるようにする。 【解決手段】テレビ放送受信部８はテレビ放送を受信すると共に、この受信信号を映像信号、音声信号、文字信号に分離して映像信号デコーダ部８３、音声信号デコーダ部８４、文字信号デコーダ部８５でデコード処理し、ＣＰＵ１は、現在の選択チャンネルで放送されている番組のジャンルを取得すると共に、この番組ジャンルに応じてテレビ放送受信部８側でのデコード処理を省電力制御する。 【選択図】  図1
2008042444.tif 000002
【特許請求の範囲】
【請求項１】
テレビ放送の受信信号をデコード処理して出力するテレビ放送視聴装置であって、
現在の選択チャンネルで放送されている番組のジャンルを取得する取得手段と、
この取得手段によって得られた番組ジャンルに応じて前記デコード処理を省電力制御する制御手段と、
を具備したことを特徴とするテレビ放送視聴装置。
【請求項２】
前記制御手段は、前記取得手段によって得られた番組ジャンルが予め決められている特定ジャンルであるか否かを判別し、特定ジャンルであることを条件に省電力制御を行う、
ようにしたことを特徴とする請求項1記載のテレビ放送視聴装置。
【請求項３】
テレビ放送の受信信号をデコード処理して出力するテレビ放送視聴装置であって、
現在の選択チャンネルが特定チャンネルか否かを判別する判別手段と、
この判別手段によって特定チャンネルが選択されたことが判別された場合に、前記デコード処理を省電力制御する制御手段と、
を具備したことを特徴とするテレビ放送視聴装置。
【請求項４】
前記特定チャンネルは、ユーザ操作によって予め任意に選択されたチャンネルである、
ことを特徴とする請求項３記載のテレビ放送視聴装置。
【請求項５】
テレビ放送の受信信号をデコード処理して出力するテレビ放送視聴装置であって、
当該装置の現在の状態を判別する判別手段と、
この判別手段によって判別された現在の状態に応じて前記デコード処理を省電力制御する制御手段と、
を具備したことを特徴とするテレビ放送視聴装置。
【請求項６】
前記判別手段は、電源電池の残量が所定量以下であるか否かを判別し、
前記制御手段は、前記判別手段によって判別された電池残量が所定量以下の場合に省電力制御を行う、
ようにしたことを特徴とする請求項５記載のテレビ放送視聴装置。
【請求項７】
前記判別手段は、テレビ放送の受信状態が低下したか否かを判別し、
前記制御手段は、前記判別手段によって受信状態が低下したことが判別された場合に省電力制御を行う、
ようにしたことを特徴とする請求項５記載のテレビ放送視聴装置。
【請求項８】
電話通信手段を設け、
前記判別手段は、前記電話通信手段によって通話中か否かを判別し、
前記制御手段は、前記判別手段によって通話中であることが判別された場合に省電力制御を行う、
ようにしたことを特徴とする請求項５記載のテレビ放送視聴装置。
【請求項９】
テレビ放送の受信信号をデコード処理して出力するテレビ放送視聴装置であって、
現在の選択チャンネルでどのような内容の放送が行われているかを判別する判別手段と、
この判別手段によって判別された放送内容に応じて前記デコード処理を省電力制御する制御手段と、
を具備したことを特徴とするテレビ放送視聴装置。
【請求項１０】
前記判別手段は、選択チャンネルのテレビ放送を受信してデコード処理した結果の出力信号に基づいてコマーシャル放送中か否かを判別し、
前記制御手段は、前記判別手段によってコマーシャル放送中であることが判別された場合に省電力制御を行う、
ようにしたことを特徴とする請求項９記載のテレビ放送視聴装置。
【請求項１１】
前記制御手段は、デコード処理を間欠的に動作させることによって省電力制御を行う、
ようにしたことを特徴とする請求項1、３、５、９何れか記載のテレビ放送視聴装置。
【請求項１２】
前記制御手段は、符号化された映像信号を受信してデコード処理する際に、受信した各映像フレームの中から特定フレームをデコード処理の対象として選択することによって他のフレームを間引く間引き制御を行う、
ようにしたことを特徴とする請求項１１記載のテレビ放送視聴装置。
【請求項１３】
前記制御手段は、デコード処理の対象となる特定フレームを所定周期で間引くことによって当該特定フレームのデコード処理を間欠的に動作させる、
ようにしたことを特徴とする請求項１２記載のテレビ放送視聴装置。
【請求項１４】
多重化されている放送信号から分離された映像信号、音声信号、文字信号を個別にデコードする映像信号デコード部、音声信号デコード部、文字信号デコード部を有し、
前記制御手段は、前記映像信号デコード部、音声信号デコード部、文字信号デコード部のうち、少なくともその何れかを間欠的に動作させることによって省電力制御を行う、
ようにしたことを特徴とする請求項1、３、５、９何れか記載のテレビ放送視聴装置。
【請求項１５】
前記省電力制御の有効・無効が任意に選択設定されている状態において、前記制御手段は、前記選択設定されている有効、無効に応じて省電力制御の実行可否を決定する、
ようにしたことを特徴とする請求項1、３、５、９何れか記載のテレビ放送視聴装置。
【請求項１６】
前記制御手段がデコード処理を省電力制御している場合には、省電力制御の実行中であることを示す情報を表示画面上に案内表示する、
ようにしたことを特徴とする請求項1、３、５、９何れか記載のテレビ放送視聴装置。
【請求項１７】
コンピュータに対して、
テレビ放送の受信信号をデコード処理して出力する機能と、
現在の選択チャンネルで放送されている番組のジャンルを取得する機能と、
この番組ジャンルに応じて前記デコード処理を省電力制御する機能と、
を実現させるためのプログラム。
【請求項１８】
コンピュータに対して、
テレビ放送の受信信号をデコード処理して出力する機能と、
現在の選択チャンネルが特定チャンネルか否かを判別する機能と、
この特定チャンネルが選択された場合に、前記デコード処理を省電力制御する機能と、
を実現させるためのプログラム。
【請求項１９】
コンピュータに対して、
テレビ放送の受信信号をデコード処理して出力する機能と、
装置の現在の状態を判別する機能と、
この現在の状態に応じて前記デコード処理を省電力制御する機能と、
を実現させるためのプログラム。
【請求項２０】
コンピュータに対して、
テレビ放送の受信信号をデコード処理して出力する機能と、
現在の選択チャンネルでどのような内容の放送が行われているかを判別する機能と、
この放送内容に応じて前記デコード処理を省電力制御する機能と、
を実現させるためのプログラム。
【発明の詳細な説明】
【技術分野】
【０００１】
この発明は、テレビ放送の受信信号をデコード処理して出力するテレビ放送視聴装置及びプログラムに関する。
【背景技術】
【０００２】
一般に、電池を電源として駆動する携帯端末装置に、テレビ放送を受信して出力するテレビ機能を付加すると、消費電力が多くなり、直ぐに電池切れを起こしてしまう。そこで、従来、放送信号から分離された映像信号、音声信号をデコードする映像デコード回路、音声デコード回路の動作を個別に停止させることによって消費電力を抑えるようにした技術が知られている（特許文献１参照）。この場合、映像モードでは音声デコード回路の動作を停止させて映像出力を行い、音声モードでは映像デコード回路の動作を停止させて音声出力を行うようにしている。
【特許文献１】特開２００５−２１８００６号公報
【発明の開示】
【発明が解決しようとする課題】
【０００３】
しかしながら、上述の先行技術にあっては、ユーザ操作に応じて映像モード／音声モードを選択することによって消費電力を抑えるようにしたもので、映像モードには映像のみが表示され、音声モードでは音声のみが出力される。すなわち、何れか一方の出力しかできず、また、モード選択操作を前提としているために操作忘れによって映像モード、音声モードの何れかを選択しなければ、消費電力を抑えることはできない。
【０００４】
この発明の課題は、テレビ放送の受信信号をデコード処理して出力するテレビ放送視聴装置であって、特別な操作を行うことなく、映像、音声の一方に出力を限定することなく、当該デコード処理時の電力消費を抑制できるようにすることである。
【課題を解決するための手段】
【０００５】
請求項１記載の発明（第１の発明）は、テレビ放送の受信信号をデコード処理して出力するテレビ放送視聴装置であって、現在の選択チャンネルで放送されている番組のジャンルを取得する取得手段と、この取得手段によって得られた番組ジャンルに応じて前記デコード処理を省電力制御する制御手段とを具備したことを特徴とする。
更に、コンピュータに対して、上述した請求項１記載の発明に示した主要機能を実現させるためのプログラムを提供する（請求項１７記載の発明）。
【０００６】
なお、上述した請求項１記載の発明は次のようなものであってもよい。
前記制御手段は、前記取得手段によって得られた番組ジャンルが予め決められている特定ジャンルであるか否かを判別し、特定ジャンルであることを条件に省電力制御を行う（請求項２記載の発明）。
【０００７】
前記制御手段は、デコード処理を間欠的に動作させることによって省電力制御を行う（請求項１１記載の発明）。
この場合、前記制御手段は、符号化された映像信号を受信してデコード処理する際に、受信した各映像フレームの中から特定フレームをデコード処理の対象として選択することによって他のフレームを間引く間引き制御を行うようにしてもよい（請求項１２記載の発明）。また、前記制御手段は、デコード処理の対象となる特定フレームを所定周期で間引くことによって当該特定フレームのデコード処理を間欠的に動作させるようにしてもよい（請求項１３記載の発明）。
【０００８】
多重化されている放送信号から分離された映像信号、音声信号、文字信号を個別にデコードする映像信号デコード部、音声信号デコード部、文字信号デコード部を有し、前記制御手段は、前記映像信号デコード部、音声信号デコード部、文字信号デコード部のうち、少なくともその何れかを間欠的に動作させることによって省電力制御を行う（請求項１４記載の発明）。
【０００９】
前記省電力制御の有効・無効が任意に選択設定されている状態において、前記制御手段は、前記選択設定されている有効、無効に応じて省電力制御の実行可否を決定する（請求項１５記載の発明）。
【００１０】
前記制御手段がデコード処理を省電力制御している場合には、省電力制御の実行中であることを示す情報を表示画面上に案内表示する（請求項１６記載の発明）。
【００１１】
請求項３記載の発明（第２の発明）は、テレビ放送の受信信号をデコード処理して出力するテレビ放送視聴装置であって、現在の選択チャンネルが特定チャンネルか否かを判別する判別手段と、この判別手段によって特定チャンネルが選択されたことが判別された場合に、前記デコード処理を省電力制御する制御手段とを具備したことを特徴とする。
更に、コンピュータに対して、上述した請求項３記載の発明に示した主要機能を実現させるためのプログラムを提供する（請求項１８記載の発明）。
【００１２】
なお、上述した請求項３記載の発明は次のようなものであってもよい。
前記特定チャンネルは、ユーザ操作によって予め任意に選択されたチャンネルであってもよい（請求項４記載の発明）。
また、請求項３記載の発明は、上述した請求項１１〜１６記載の発明であってもよい。
【００１３】
請求項５記載の発明（第３の発明）は、テレビ放送の受信信号をデコード処理して出力するテレビ放送視聴装置であって、当該装置の現在の状態を判別する判別手段と、この判別手段によって判別された現在の状態に応じて前記デコード処理を省電力制御する制御手段とを具備したことを特徴とする。
更に、コンピュータに対して、上述した請求項５記載の発明に示した主要機能を実現させるためのプログラムを提供する（請求項１９記載の発明）。
【００１４】
なお、上述した請求項５記載の発明は次のようなものであってもよい。
前記判別手段は、電源電池の残量が所定量以下であるか否かを判別し、前記制御手段は、前記判別手段によって判別された電池残量が所定量以下の場合に省電力制御を行う（請求項６記載の発明）。
【００１５】
前記判別手段は、テレビ放送の受信状態が低下したか否かを判別し、前記制御手段は、前記判別手段によって受信状態が低下したことが判別された場合に省電力制御を行う（請求項７記載の発明）。
【００１６】
電話通信手段を設け、前記判別手段は、前記電話通信手段によって通話中か否かを判別し、前記制御手段は、前記判別手段によって通話中であることが判別された場合に省電力制御を行う（請求項８記載の発明）。
また、請求項５記載の発明は、上述した請求項１１〜１６記載の発明であってもよい。
【００１７】
請求項９記載の発明（第４の発明）は、テレビ放送の受信信号をデコード処理して出力するテレビ放送視聴装置であって、現在の選択チャンネルでどのような内容の放送が行われているかを判別する判別手段と、この判別手段によって判別された放送内容に応じて前記デコード処理を省電力制御する制御手段とを具備したことを特徴とする。
更に、コンピュータに対して、上述した請求項９記載の発明に示した主要機能を実現させるためのプログラムを提供する（請求項２０記載の発明）。
【００１８】
なお、上述した請求項９記載の発明は次のようなものであってもよい。
前記判別手段は、選択チャンネルのテレビ放送を受信してデコード処理した結果の出力信号に基づいてコマーシャル放送中か否かを判別し、前記制御手段は、前記判別手段によってコマーシャル放送中であることが判別された場合に省電力制御を行う（請求項１０記載の発明）。
また、請求項９記載の発明は、上述した請求項１１〜１６記載の発明であってもよい。
【発明の効果】
【００１９】
第１の発明は、テレビ放送の受信信号をデコード処理して出力する場合に、現在の選択チャンネルで放送されている番組のジャンルに応じて当該デコード処理を省電力制御することにより、特別な操作を行わなくても、映像、音声の一方に出力を限定しなくても、効果的な節電が可能となる。
【００２０】
第２の発明は、テレビ放送の受信信号をデコード処理して出力する場合に、現在の選択チャンネルが特定チャンネルであれば、当該デコード処理を省電力制御することにより、特別な操作を行わなくても、映像、音声の一方に出力を限定しなくても、効果的な節電が可能となる。
【００２１】
第３の発明は、テレビ放送の受信信号をデコード処理して出力する場合に、現在の装置の状態に応じて当該デコード処理を省電力制御することにより、特別な操作を行わなくても、映像、音声の一方に出力を限定しなくても、効果的な節電が可能となる。
【００２２】
第４の発明は、テレビ放送の受信信号をデコード処理して出力する場合に、現在の選択チャンネルでどのような放送が行われているかに応じて当該デコード処理を省電力制御することにより、特別な操作を行わなくても、映像、音声の一方に出力を限定しなくても、効果的な節電が可能となる。
【発明を実施するための最良の形態】
【００２３】
（実施例１）
以下、図１〜図６を参照して本発明の第１実施例を説明する。
この実施例は、テレビ放送視聴装置としてテレビ付きの携帯電話装置に適用した場合を例示したもので、図１は、このテレビ付き携帯電話装置の基本的な構成要素を示したブロック図である。
この携帯電話装置には、通話機能、メール機能、インターネット接続機能（Ｗｅｂアクセス機能）などのほか、デジタルテレビ放送を受信出力するテレビ放送視聴機能、受信したテレビ放送を録画（録音を含む）する録画機能、録画されたテレビ放送を再生出力する再生機能などが備えられている。
【００２４】
ＣＰＵ１は、記憶部２内の各種のプログラムに応じてこの携帯電話装置の全体動作を制御する中核的な中央演算処理装置である。記憶部２は、内部メモリであり、プログラム領域とデータ領域とを有し、このプログラム領域には、後述する図４〜図６に示す動作手順に応じて本実施例を実現するためのプログラムが格納されているおり、また、データ領域には、後述する番組ジャンルテーブルＧＴなどが格納されている。記録メディア３は、着脱自在な可搬型メモリで、各種のデータ・プログラムを外部供給するもので、例えば、スマートメディア、ＩＣカードなどによって構成されている。メモリ４は、ワーク領域を有する内部メモリであり、必要に応じてメモリ４内の各種のデータは、記憶部２にセーブされる。
【００２５】
電話通信部５は、無線部を構成するアンテナに接続された送受信部（ベースバンド部）の受信側から信号を取り込んで受信ベースバンド信号に復調したのちに、スピーカ６を構成する受話スピーカ（図示せず）から音声出力させる。また、電話通信部５は、マイク７から入力された音声データを送信ベースバンド信号に符号化したのちアンテナから発信出力させる。テレビ放送受信部８は、携帯電話などの携帯受信機向けの地上波デジタルテレビ放送を受信するもので、テレビ映像及び音声情報以外にも電子番組表(ＥＰＧ)なども含めて受信可能となっており、テレビ映像データ及び文字データは、表示部９から表示出力され、また、テレビ音声データは、スピーカ６を構成するサウンドスピーカ（図示せず）から出力される。
【００２６】
表示部９は、テレビ放送を高画質に表示可能なＬＣＤ（液晶表示装置）などであり、キー操作部１０は、ダイヤル入力、文字入力、コマンド入力などを行うもので、テレビオン／オフキー、テレビ放送を省電力で視聴可能な省電力モード（省エネモード）に切り替えるモードキー、録画開始／停止キーなどが設けられており、ＣＰＵ１は、キー操作部１０からのキー入力信号に応じた処理を実行する。録画部１１は、テレビ放送受信部８からの放送内容をハードディスクなどの内蔵メモリ（図示せず）に録画するもので、ＣＰＵ１の制御下で録画開始／終了が制御される。
【００２７】
図２は、テレビ放送受信部８の構成を示したブロック図である。
テレビ放送受信部８は、テレビアンテナ（図示せず）に接続され、ユーザ操作に応じて受信チャンネルを選局して当該局の放送信号を抽出するチューナ８１と、受信した放送信号をＯＦＤＭ（直交周波数分割多重）復調したり、多重化されている放送信号から映像、音声、データ（文字データ）に分離する多重化信号分離部８２、この多重化信号分離部８２によって分離された映像信号、音声信号、文字信号を解析しながら復号化したり、圧縮データの解凍などを行う映像信号デコーダ部８３、音声信号デコーダ部８４、文字信号デコーダ部８５を有する構成となっている。
【００２８】
映像信号デコーダ部８３、音声信号デコーダ部８４、文字信号デコーダ部８５は、個別に制御可能なもので、ＣＰＵ1は、上述した「省エネモード」が解除されている「通常モード」において、映像信号デコーダ部８３、音声信号デコーダ部８４、文字信号デコーダ部８５に対して“通常駆動指令”を与えることによって通常のテコード処理をそれぞれ指示するが、上述した「省エネモード」においては、映像信号デコーダ部８３、音声信号デコーダ部８４、文字信号デコーダ部８５のうち、少なくともその何れかに“省電力駆動指令”を与えることによって“デコード間引き制御”を指示する。
【００２９】
この場合、音声信号デコーダ部８４、文字信号デコーダ部８５は、一定の間隔（例えば、２秒間隔）毎に間欠的に動作するデコード間引き動作を行うようにしている。なお、２秒間隔毎の間欠的な動作とは、例えば、音声信号デコーダ部８４、文字信号デコーダ部８５が２秒間停止し、２秒間動作することを繰り返すことを示している（以下、同様）。この場合、音声信号デコーダ部８４、文字信号デコーダ部８５にタイマ（図示せず）を設け、このタイマによって２秒間隔を計数することによって２秒間隔毎の間欠的な動作が可能となる。
【００３０】
映像信号デコーダ部８３は、ＣＰＵ１から“デコード間引き制御”が指示されると、特定フレームをデコード処理対象として選択することによって他のフレームを間引くデコード間引きを行うようにしている。すなわち、受信した映像信号は、動画圧縮方式（ＭＰＥＧ）によって圧縮符号化された信号であるが、この映像信号をフレーム毎にデコードする際、映像信号デコーダ部８３は、特定フレーム（１枚の画像が単独圧縮されたＩフレーム）をデコード処理対象として選択し、他のフレーム（前方向予測で圧縮されたＰフレーム、双方向予測で圧縮されたＢフレーム）を間引くようにしている。更に、映像信号デコーダ部８３は、デコード処理の対象となる特定フレーム（Ｉフレーム）を所定周期（例えば、５回に１回の割合）で間引くデコード間引き動作を行うようにしている。この場合、映像信号デコーダ部８３は、Ｉフレームをカウントし、その計数値に基づいて自己に停止指示を与えるようにしている。
【００３１】
図３は、番組ジャンルテーブルＧＴを説明するための図である。
番組ジャンルテーブルＧＴは、テレビ放送の番組ジャンル（ニュース、音楽、スポーツ、その他のジャンル）別に、映像信号デコーダ部８３、音声信号デコーダ部８４、文字信号デコーダ部８５に対応して「ＯＮ／ＯＦＦフラグ」がセットされるテーブルである。なお、図中、“映像”、“音声”、“文字”は、対応する映像信号デコーダ部８３、音声信号デコーダ部８４、文字信号デコーダ部８５を示し、また、「ＯＮ／ＯＦＦフラグ」は、“デコード間引き制御”の実行可否を示している。なお、この番組ジャンルテーブルＧＴの内容は、ユーザが必要に応じて任意に設定可能であり、例えば、映像が高画質であれば、音質は粗くてもよい場合、逆に、高音質であれば、映像は粗くてもよい場合など、ユーザの要望に応じて「ＯＮ／ＯＦＦフラグ」を任意に設定可能となっている。
【００３２】
なお、図示の例では、番組ジャンルＡ（例えば、ニュース番組）には、“映像”、“音声”、“文字”に対応してそれぞれ「ＯＮフラグ」がセットされている。また、番組ジャンルＢ（例えば、音楽番組）には、“映像”、“文字”に対応して「ＯＮフラグ」がセットされ、“音声”に対応して「ＯＦＦフラグ」がセットされている。また、番組ジャンルＣ（例えば、スポーツ番組）には、“音声”、“文字”に対応して「ＯＮフラグ」がセットされ、“映像”に対応して「ＯＦＦフラグ」がセットされている。他のジャンル（ドラマ番組、旅行番組など）には、“映像”、“音声”、“文字”に対応してそれぞれ「ＯＦＦフラグ」がセットされている。
【００３３】
次にこの第１実施例における携帯電話装置の動作概念を図４〜図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。なお、図４〜図６は、携帯電話装置の全体動作のうち、本実施例の特徴部分の動作概要を示したフローチャートであり、この図４〜図６のフローから抜けた際には、全体動作のフロー（図示省略）に戻る。
【００３４】
図４〜図６は、テレビオン操作に応答して実行開始されるテレビ処理を示したフローチャートである。
先ず、ＣＰＵ１は、新たなチャンネルを選択指定するチャンネル操作が行われると、テレビ放送受信部８に対してチャンネル切り替えを指示するほか（図４のステップＡ１）、テレビ放送受信部８を構成する映像信号デコーダ部８３、音声信号デコーダ部８４、文字信号デコーダ部８５に対してそれぞれデコード指示を行ったのち（ステップＡ２）、これらのデコード処理結果をスピーカ（サウンドスピーカ）６、表示部９から出力させる（ステップＡ３）。
【００３５】
そして、「省エネモード」にセットされているかを調べ（ステップＡ４）、「省エネモード」が解除されている場合、つまり、「通常モード」にセットされている場合には（ステップＡ４でＮＯ）、図６のフローに移り、ＣＰＵ1は、映像信号デコーダ部８３、音声信号デコーダ部８４、文字信号デコーダ部８５にそれぞれ“通常駆動指令”を与えることによって通常のデコード処理を指示したのち、これらのデコード処理結果を取得して出力させる（ステップＡ２６）。このようにテレビ放送を受信出力している状態において、何らかの操作が行われると（ステップＡ２７でＹＥＳ）、それはチャンネル切替操作であるかを調べ（ステップＡ２８）、チャンネル切替操作であれば、図４のステップＡ１に戻ってチャンネル切り替え処理を行う。
【００３６】
また、テレビオフ操作が行われてテレビ終了指示を受けたときには（ステップＡ２９でＹＥＳ）、図４〜図６のフローから抜けて、このテレビ処理の終了となるが、上述したモードキーによって「通常モード」から「省エネモード」への切り替えが指示されたときには（ステップＡ３０でＹＥＳ）、モード切替処理を実行して「通常モード」が解除されて「省エネモード」にセットされる（ステップＡ３１）。なお、その他の操作が行われたときには（ステップＡ３０でＮＯ）、当該操作に対応する処理として、例えば、予約録画設定、音量調整などが行われる（ステップＡ３２）。
【００３７】
いま、「省エネモード」にセットされている場合において（図４のステップＡ４でＹＥＳ）、予め受信取得しているＥＰＧ（電子番組表）を参照することにより、この受信番組の番組情報内からジャンルを取得する（ステップＡ５）。なお、この場合、受信した放送内容に付加されている番組情報内からジャンルを取得するようにしてもよい。そして、この番組ジャンルに基づいて番組ジャンルテーブルＧＴを検索することによって、当該ジャンルは「省エネジャンル」であるか否かを調べる（ステップＡ６）。
【００３８】
すなわち、該当ジャンルに対応する“映像”、“音声”、“文字”の「ＯＮ／ＯＦＦフラグ」を参照して、その何れかに「ＯＮフラグ」が設定されているかを調べ、“映像”、“音声”、“文字”の何れに「ＯＮフラグ」が設定されているジャンルであれば、省エネジャンルであると認識する。いま、現在受信中の番組ジャンルがニュース、音楽、スポーツ以外のジャンルであれば、省エネジャンルに該当しないので（ステップＡ６でＮＯ）、図５のフローに移り、ＣＰＵ1は、映像信号デコーダ部８３、音声信号デコーダ部８４、文字信号デコーダ部８５に対して“通常駆動指令”を与えることによって、通常のデコード処理をそれぞれ実行させたのち、これらのデコード処理結果を取得して出力させる（ステップＡ１５）。
【００３９】
このようにテレビ放送を受信出力している状態において、ＣＰＵ１は、現在の選択チャンネルでＣＭ放送中であるかを調べ（ステップＡ１６）。例えば、音声がモノラルからステレオに切り替わったとき、あるいは音声多重から２ヶ国語放送に切り替わったとき、ＣＰＵ1は、ＣＭ放送に切り替わったと認識する。いま、ＣＭ放送中であれば（ステップＡ１６でＹＥＳ）、映像信号デコーダ部８３、音声信号デコーダ部８４、文字信号デコーダ部８５に対して“省電力駆動指令”を与えることにより、各デコーダ部８３〜８５に対して“デコード間引き制御”を指示する（ステップＡ１７）。
【００４０】
ここで、音声信号デコーダ部８４、文字信号デコーダ部８５は、一定の間隔（例えば、２秒間隔）毎に間欠的に動作するデコード間引き動作を行う。また、映像信号デコーダ部８３は、特定フレーム（Ｉフレーム）をデコード処理対象として選択し、他のフレーム（Ｐフレーム、Ｂフレーム）を間引くと共に、Ｉフレームを所定周期（例えば、５回に１回の割合）で間引くデコード間引き動作を行う。ＣＰＵ１は、各デコード処理された結果を取得してスピーカ６、表示部９から出力させながら（ステップＡ１８）、ＣＭ終了を検出するまで上述したデコード間引き動作を継続実行させる（ステップＡ１８、Ａ１９）。そして、ＣＭ終了を検出すると（ステップＢ１９でＹＥＳ）、上述のステップＡ１５に戻る。
【００４１】
ＣＭ放送中でなければ（ステップＡ１６でＮＯ）、何らかの操作が行われたかを判別し（ステップＡ２０）、何らかの操作が行われるまで操作待ち状態となる。ここで、チャンネル切替操作が行われたときには（ステップＡ２１でＹＥＳ）、図４のステップＡ１に戻ってチャンネル切り替えが行われ、また、テレビオフ操作（テレビ終了操作）が行われたときには（ステップＡ２２でＹＥＳ）、図４〜図６のフローから抜けるが、モード切替操作が行われたときには（ステップＡ２３でＹＥＳ）、「省エネモード」から「通常モード」に切り替えたのち（ステップＡ２４）、図６のフローに移る。なお、その他の操作が行われた場合には（ステップＡ２３でＮＯ）、当該操作に対応する処理として、例えば、予約録画設定、音量調整などが行われる（ステップＡ２５）。
【００４２】
他方、「省エネモード」において（図４のステップＡ４でＹＥＳ）、受信番組のジャンルが「省エネジャンル」であれば（ステップＡ６でＹＥＳ）、この受信番組のジャンルに基づいて番組ジャンルテーブルＧＴを検索し、該当ジャンルに対応する“映像”、“音声”、“文字”の「ＯＮ／ＯＦＦ」に応じて“デコード間引き制御”の有無を指示する（ステップＡ７）。すなわち、ＣＰＵ１は、映像信号デコーダ部８３、音声信号デコーダ部８４、文字信号デコーダ部８５のうち、フラグが「ＯＮ」されているデコード部に対して“省電力駆動指令”を与えることにより“デコード間引き制御”を指示するが、フラグが「ＯＦＦ」されているデコード部に対しては、“通常駆動指令”を与えることによって通常のデコード処理を指示する。
【００４３】
これによって例えば、受信番組のジャンルが“ニュース番組”の場合には、“映像”、“音声”、“文字”に対応してそれぞれ「ＯＮフラグ」がセットされているので、映像信号デコーダ部８３、音声信号デコーダ部８４、文字信号デコーダ部８５では、それぞれデコード間引き動作が行われる。また、ジャンルが“音楽番組”であれば、“映像”、“文字”に対応して「ＯＮフラグ」がセットされ、“音声”に対応して「ＯＦＦフラグ」がセットされているので、映像信号デコーダ部８３、文字信号デコーダ部８５ではデコード間引き動作が行われるが、音声信号デコーダ部８４では通常のデコード動作が行われる。
【００４４】
更に、ジャンルが“スポーツ番組”であれば、“音声”、“文字”に対応して「ＯＮフラグ」がセットされ、“映像”に対応して「ＯＦＦフラグ」がセットされているので、音声信号デコーダ部８４、文字信号デコーダ部８５ではデコード間引き動作が行われるが、映像信号デコーダ部８３では通常のデコード動作が行われる。そして、ＣＰＵ１は、各デコード処理された結果を取得してスピーカ６、表示部９から出力させる（ステップＡ８）。この場合、テレビ画面の角部には、テレビ放送受信部８のデコード部が省エネ駆動されていることを示すための「省エネアイコン」が表示出力される。
【００４５】
この状態において、何らかの操作が行われるまで操作待ち状態となるが（ステップＡ９）、いま、チャンネル切替操作が行われたときには（ステップＡ１０でＹＥＳ）、上述のステップＡ１に戻ってチャンネル切り替えが行われ、また、テレビオフ操作（終了操作）が行われたときには（ステップＡ１１でＹＥＳ）、図４〜図６のフローから抜けるが、モード切替操作が行われたときには（ステップＡ１２でＹＥＳ）、「省エネモード」から「通常モード」に切り替えたのち（ステップＡ１３）、図６のフローに移る。なお、その他の操作が行われた場合には（ステップＡ１２でＮＯ）、当該操作に対応する処理として、例えば、予約録画設定、音量調整などが行われる（ステップＡ１４）。
【００４６】
以上のように、この第１実施例において、テレビ放送受信部８はテレビ放送を受信すると共に、この受信信号を映像信号、音声信号、文字信号に分離して映像信号デコーダ部８３、音声信号デコーダ部８４、文字信号デコーダ部８５でデコード処理し、ＣＰＵ１は、現在の選択チャンネルで放送されている番組のジャンルを取得すると共に、この番組ジャンルに応じてテレビ放送受信部８側でのデコード処理を省電力制御することにより、例えば、好みの番組以外の番組視聴時、あるいはニュース番組のように画質、音質を重視せず、放送内容を把握できればよいような番組視聴時には、特別な操作を行うことなく、映像、音声の一方に出力を限定しなくても、電力消費を確実に抑えることができ、高画質、高音質で出力する代わりに省電力制御を行うことによって効果的な節電が可能となる。
【００４７】
テレビ放送受信部８は、一定の間隔（例えば、２秒間隔）毎に間欠的に動作するデコード間引き動作を行うことにより、放送内容の把握に支障がない程度で電力消費を効果的に抑えることができる。映像信号デコーダ部８３は、受信した各映像フレームの中から特定フレーム（Ｉフレーム）をデコード処理の対象として選択することによって他のフレームを間引く間引き制御を行ったり、Ｉフレームを所定周期で間引くことによってＩフレームのデコード処理を間欠的に行うようにしたから、放送内容の把握に支障がない程度で電力消費を効果的に抑えることができる。
【００４８】
ＣＰＵ１は、デコードする映像信号デコーダ部８３、音声信号デコーダ部８４、文字信号デコーダ部８５のうち、少なくとも何れかを間欠的に動作させることによって間引き制御を行うことにより、例えば、映像が高画質であれば、音質は粗くてもよい場合、逆に、高音質であれば、映像は粗くてもよい場合などに対応可能となる。
また、「省エネモード」、「通常モード」とを任意に切り替え可能としたことにより、必要に応じて省電力制御の実行可否を選択することができる。また、テレビ画面には「省エネアイコン」を表示出力することにより、ユーザにあっては省電力制御が行われていることを知ることができる。
【００４９】
また、「通常モード」にセットされている場合においても、現在の選択チャンネルでどのような放送が行われているかに応じてテレビ放送受信部８側のデコード処理を省電力制御することにより、ＣＭ放送中の節電が可能となる。すなわち、ＣＭ放送を高画質、高音質で出力するよりも電力消費を抑えたほうが得策である場合が多いので、ＣＭ放送を高画質、高音質で出力する代わりに省電力制御を行うことで、ＣＭ放送中の節電が可能となる。
【００５０】
なお、上述した第１実施例においては、番組ジャンルとして「ニュース」、「音楽」、「スポーツ」を省エネジャンルとして例示したが、番組ジャンルとしては、これに限らず任意であり、例えば、同じニュース番組であっても、トップニュースに対しては、通常と同様のデコード処理を指示し、それ以降のニュースに対しては、デコード間引き制御を指示するようにしてもよい。
【００５１】
また、現在の選択チャンネルでＣＭ放送中であれば、ＣＭ放送が行われている間、テレビ放送受信部８を省電力制御するようにしたが、サッカー放送では、時間管理などによってハーフタイム時を特定して省電力制御を行ったり、野球放送では、画像解析などによって攻守交代時を特定して省電力制御を行うようにしてもよい。つまり、高画質、高音質で出力する必要がない場面を特定して省電力制御を行うようにしてもよい。
（実施例２）
【００５２】
以下、この発明の第２実施例について図７を参照して説明する。
なお、上述した第１実施例においては、番組ジャンルに応じて省電力制御したり、ＣＭ放送が行われている間、省電力制御するようにしたが、この第２実施例においては、現在の選択チャンネル（省エネチャンネル）あるいは現在の装置状態（電池残量、放送電波の受信レベル、通話中）に応じて省電力制御を行うようにしたものである。
ここで、両実施例において基本的あるいは名称的に同一のものは、同一符号を付して示し、その説明を省略すると共に、以下、第２実施例の特徴部分を中心に説明するものとする。
【００５３】
図７は、第２実施例において、テレビオン操作に応答して実行開始されるテレビ処理を示したフローチャートである。
先ず、ＣＰＵ１は、新たなチャンネルを選択指定するチャンネル操作が行われると、テレビ放送受信部８に対してチャンネル切り替えを指示したのち（ステップＢ１）、現在のチャンネルは「省エネチャンネル」であるかを判別する（ステップＢ２）。この「省エネチャンネル」は、ユーザ操作によって予め任意に設定されたものであり、例えば、スポーツチャンネル、音楽チャンネル、ニュースチャンネルのような専用チャンネルの中から任意に選択指定されたチャンネル（興味のないチャンネル）あるいは普段視聴することがないチャンネルなどである。
【００５４】
いま、「省エネチャンネル」に切り替えられた際に（ステップＢ２でＹＥＳＢ）、ＣＰＵ１は、テレビ放送受信部８側に“省電力駆動指令”を与えることにより“デコード間引き制御”を指示する（ステップＢ１１）。これによってテレビ放送受信部８側では、少なくてとも何れかのデコード部によって上述したデコード間引き動作が行われる。そして、ＣＰＵ１は、各デコード部８３〜８５によってデコード処理された結果を取得してスピーカ６、表示部９から出力させる（ステップＢ１２）。この場合、第１実施例と同様に、テレビ画面には省エネ駆動であることを示す「省エネアイコン」が表示出力される。
【００５５】
この状態において、何らかの操作が行われるまで操作待ち状態となるが（ステップＢ１３）、いま、チャンネル切替操作が行われた場合には（ステップＢ１４でＹＥＳ）、上述のステップＢ１に戻ってチャンネル切り替えが行われ、また、テレビオフ操作（終了操作）が行われた場合には（ステップＢ１５でＹＥＳ）、このフローから抜けるが、その他の操作が行われた場合には（ステップＢ１５でＮＯ）、当該操作に対応する処理として、例えば、予約録画設定、音量調整などが行われる（ステップＢ１６）。
【００５６】
一方、「省エネチャンネル」以外のチャンネルに切り替えられたときには（ステップＢ２でＮＯ）、電源電池の残量を常時検出する電池残量検出部（図示省略）からの残量検出信号に基づいて電源電池の残量が所定値（例えば、テレビ視聴が可能な時間が残り１０分に相当する値）以下に達したかを調べ（ステップＢ３）、電池残量が所定値以下である場合にそのままテレビ視聴を続ければ、電池切れによって視聴不能となるために、電池残量が所定値以下となった時点で、テレビ放送受信部８に対して“デコード間引き制御”を指示する（ステップＢ１１）。
【００５７】
また、電池残量が所定値を超えていれば（ステップＢ３でＮＯ）、テレビ視聴を継続するのに十分な残量があるので、次のステップＢ４に移り、テレビ放送受信部８からの受信レベル検出信号に基づいて放送電波の受信レベルが受信不良となる所定値以下に達したかを調べる。ここで、受信レベルが所定値以下であれば（ステップＢ４でＮＯ）、つまり、電波の受信状態が悪い場合には、高画質、高音質で出力する必要はなく、高画質、高音質で出力する代わりに省電力制御を行わせるために、テレビ放送受信部８に対して“デコード間引き制御”を指示する（ステップＢ１１）。
【００５８】
また、受信レベルが所定値を超えていれば（ステップＢ４でＮＯ）、高画質、高音質の出力が可能であるため、次のステップＢ５に移り、電話通信部５からの通話中検出信号に基づいて通話中か否かを調べる。ここで、通話中であれば、テレビ放送に集中しない場合が多いので、ＣＰＵ1は、高画質、高音質で出力する代わりに省電力制御を行わせるために、テレビ放送受信部８に対して“デコード間引き制御”を指示する（ステップＢ１１）。
【００５９】
他方、「省エネチャンネル」以外のチャンネルに切り替えられている場合に（ステップＢ２でＮＯ）、電池切れまでには余裕があり（ステップＢ３でＮＯ）、受信状態も良好で（ステップＢ４でＮＯ）、通話中でもなければ（ステップＢ５でＮＯ）、ＣＰＵ1は、映像信号デコーダ部８３、音声信号デコーダ部８４、文字信号デコーダ部８５に“通常駆動指令”を与えて通常のデコード処理を指示したのち、これらの処理結果を取得して出力させる（ステップＢ６）。
【００６０】
このようにテレビ放送を通常に受信出力している状態において、ＣＰＵ１は、何らかの操作が行われるまで操作待ち状態となるが（ステップＢ７）、いま、チャンネル切替操作が行われた場合には（ステップＢ８でＹＥＳ）、上述のステップＢ１に戻ってチャンネル切り替えが行われ、また、テレビオフ操作（終了操作）が行われた場合には（ステップＢ９でＹＥＳ）、このフローから抜けるが、その他の操作が行われた場合には（ステップＢ９でＮＯ）、当該操作に対応する処理として、例えば、予約録画設定、音量調整などが行われる（ステップＢ１０）。
【００６１】
以上のように、この第２実施例においては、現在の選択チャンネルが省エネチャンネルに切り替えられたときに、テレビ放送受信部８を省電力制御することにより、効果的な節電が可能となる。すなわち、好みチャンネル以外のチャンネル視聴時あるいはニュースチャンネルのように画質、音質を重視せず、放送内容を把握できればよいようなチャンネルの視聴時には、特別な操作を行うことなく映像、音声の一方に出力を限定しなくても、電力消費を確実に抑えることができる。
【００６２】
電池残量が所定値以下に達したときに、テレビ放送受信部８を省電力制御することにより、テレビ視聴時間を延ばすことができる。また、放送電波の受信レベルが所定値以下に達したときに、テレビ放送受信部８を省電力制御することにより、効果的な節電が可能となる。すなわち、電波の受信状態が悪い場合には、高画質、高音質で出力する必要がないために、高画質、高音質で出力する代わりに省電力制御を行うことで、受信不良時の節電が可能となる。また、テレビ放送を受信出力しながら通話しているときに、テレビ放送受信部８を省電力制御することにより、効果的な節電が可能となる。すなわち、通話中はテレビに集中しない場合が多いので、高画質、高音質で出力する代わりに省電力制御を行うことで、通話中での節電が可能となる。
【００６３】
また、上述した第１実施例と同様、テレビ放送受信部８は、一定の間隔（例えば、２秒間隔）毎に間欠的に動作するデコード間引き動作を行うことにより、放送内容の把握に支障がない程度で電力消費を効果的に抑えることができる。映像信号デコーダ部８３は、受信した各映像フレームの中から特定フレーム（Ｉフレーム）をデコード処理の対象として選択することによって他のフレームを間引く間引き制御を行ったり、Ｉフレームを所定周期で間引くことによってＩフレームのデコード処理を間欠的に行うことにより、放送内容の把握に支障がない程度で電力消費を効果的に抑えることができる。
【００６４】
また、ＣＰＵ１は、デコードする映像信号デコーダ部８３、音声信号デコーダ部８４、文字信号デコーダ部８５のうち、少なくとも何れかを間欠的に動作させることによって間引き制御を行うことにより、例えば、映像が高画質であれば、音質は粗くてもよい場合、逆に、高音質であれば、映像は粗くてもよい場合などに対応可能となる。
【００６５】
なお、上述した第２実施例においては、予め省エネチャンネルを任意に設定するようにしたが、省エネチャンネル以外のチャンネルを任意に設定するようにしてもよい。また、装置の現在の状態として、電池残量、テレビ電波の受信状態、通話中を例示したが、ＧＰＳ(Global Positioning System)受信部から現在位置を取得すると共に、時計部から現在時刻を取得し、この現在位置及び現在時刻から現在の行動を予測し、例えば、電車内に居る場合には、高音質で粗い表示を行うようにしてもよい。
【００６６】
なお、上述した各実施例においては、音声信号デコーダ部８４、文字信号デコーダ部８５を省電力制御する場合に、その何れかのデコード部の動作を２秒間停止させ、２秒間動作させる２秒間隔毎の間欠的な動作を行わせる省電力制御を例示したが、この間欠動作の時間間隔は、２秒間隔に限らず、任意であると共に、ユーザが任意に設定可能としてもよい。また、映像信号デコーダ部８３は、デコード処理の対象となる特定フレーム（Ｉフレーム）を所定周期（例えば、５回に１回の割合）で間引くようにしたが、このデコード間引きの周期も、任意であると共に、ユーザが任意に設定可能としてもよい。
【００６７】
その他、上述した各第２実施例においては、テレビ付きの携帯電話装置に適用した場合を示したが、携帯電話装置に限らず、例えば、テレビ付きのＰＤＡ・電子カメラ・電子腕時計・音楽再生機などの携帯端末装置であっても同様に適用可能である。また、携帯端末装置に限らず、固定式テレビ放送受信機（テレビ放送視聴装置）に適用可能であることは、勿論である。
【図面の簡単な説明】
【００６８】
【図１】テレビ放送視聴装置として適用したテレビ付き携帯電話装置の基本的な構成要素を示したブロック図。
【図２】テレビ放送受信部８の構成を示したブロック図。
【図３】番組ジャンルテーブルＧＴを説明するための図。
【図４】テレビオン操作に応答して実行開始されるテレビ処理を示したフローチャート。
【図５】図４に続く、フローチャート。
【図６】図４に続く、フローチャート。
【図７】第２実施例において、テレビオン操作に応答して実行開始されるテレビ処理を示したフローチャート。
【符号の説明】
【００６９】
１  ＣＰＵ
２  記憶部
５  電話通信部
６  スピーカ
８  テレビ放送受信部
９  表示部
１０  キー操作部
１１  録画部
８１  チューナ
８２  多重化信号分離部
８３  映像信号デコーダ部
８４  音声信号デコーダ部
８５  文字信号デコーダ部
ＧＴ  番組ジャンルテーブル
【図１】
2008042444.tif 000003
【図２】
2008042444.tif 000004
【図３】
2008042444.tif 000005
【図４】
2008042444.tif 000006
【図５】
2008042444.tif 000007
【図６】
2008042444.tif 000008
【図７】
2008042444.tif 000009